(57)【特許請求の範囲】
【請求項１】
昇降路（１１）内の少なくとも1つのガイドレール（２８）に沿って移動するエレベータかご（１０）と、エレベータかご（１０）を支持する少なくとも１本の懸架ロープ（１４）と、駆動モータ（２１）によって駆動され、少なくとも１本の懸架ロープ（１４）と共同して働くロープシーブ（２０）を含んだ少なくとも1つの駆動モータ（２１）を含む駆動装置（１９）とを含むエレベータであって、前記駆動装置（１９）が昇降路（１１）の上部に位置すると共に、少なくともその一部分がエレベータかご（１０）の上に突出しており、
エレベータかご（１０）が閉鎖可能な開口部（２４）をその天井部に持ち、これを通して駆動装置（１９）にアクセス可能であり、
天井部の開口部（２４）が、駆動装置（１９）が突出しているエレベータかご（１０）の天井部（１０ｂ）の領域（１０ｃ）を避けていることを特徴とするエレベータ。
【請求項２】
天井部の開口部（２４）が施錠可能なフラップ（２７）を使って閉鎖、施錠できることを特徴とする、請求項１に記載のエレベータ。
【請求項３】
フラップ（２７）が、許可を受けていないものはアクセスできないように守られた解錠装置（３２）に結合されていることを特徴とする、請求項２に記載のエレベータ。
【請求項４】
フラップ（２７）がエレベータかごの天井部（１０ｂ）から取り外しできるように構成されており、メンテナンス用の作業台（２６）またはその一部分として使用できることを特徴とする、請求項２または３に記載のエレベータ。
【請求項５】
フラップ（２７）が、エレベータかご（１０）の天井部（１０ｂ）に固定され、例えば鋏の形に構成された保持部材（３４）を含む支持装置（３３）にぶら下がるように取りつけられており、この支持部材を使ってフラップ（２７）が天井部（１０ｂ）と平行なメンテナンス位置へと移動できることを特徴とする、請求項２または３に記載のエレベータ。
【請求項６】
エレベータかご（１０）と駆動装置（１９）の間の最小隙間を確実に保持する、少なくとも１つのストッパ（１７）があることを特徴とする、請求項１から５のいずれか一項に記載のエレベータ。
【請求項７】
ストッパ（１７）が釣合いおもり（１５）と共同して働くバッファとして構成されていることを特徴とする、請求項６に記載のエレベータ。
【請求項８】
昇降路の壁、またはエレベータかご（１０）のガイドレール（２８）、または釣合いおもり（１５）のガイドレール上に支持されている少なくとも１本のビーム（２２）に駆動装置（１９）が支持されていることを特徴とする、請求項１から７のいずれか一項に記載のエレベータ。
【請求項９】
１本の懸架ロープ（１４）が、エレベータかご（１０）の下方にある懸架ロープの向きを変える滑車（３０ａ、３０ｂ）を少なくとも通過することを特徴とする請求項１から８のいずれか一項に記載のエレベータ。
【発明の詳細な説明】
【０００１】
【発明の属する技術分野】
本発明は、昇降路内の少なくとも１つのガイドレールに沿って移動するエレベータかごと、エレベータかごを支持する少なくとも１本の懸架ロープと、駆動モータによって駆動され、少なくとも１本の懸架ロープと共同して働く牽引シーブ（駆動綱車）を含んだ少なくとも１つの駆動モータを含む駆動装置とを含むエレベータであって、この駆動装置が昇降路の上部に位置しており少なくともその一部分がエレベータかごの上に突出しているエレベータに関する。
【０００２】
「駆動作業部屋なしのエレベータ」（「機械室なしのエレベータ」）と題されて「エレベータ・レポート」１９９８年３月号誌上で発表された技術論文から、駆動装置を、昇降路の上方部にある昇降路壁へ固定された支持具上に位置するようにした、機械室なしのエレベータは公知である。駆動装置のメンテナンス作業はエレベータかごの天井部からおこなわれる。動作中も駆動装置を観測できるよう、必要とあればメンテナンス用作業台から取り付け可能な設置用作業台が提案されている。このエレベータにはエレベータかごの上方に比較的高い、昇降路の頭上空間が必要となる。さらに、メンテナンス用作業台、または設置用作業台の昇降路への取り付けも、比較的複雑な作業となっている。
【０００３】
【発明が解決しようとする課題】
こうした状況を出発点として、本発明の目的は、昇降路内の空間をうまく利用し、つまり、昇降路の高さが低くしかも小さな昇降路断面積を持ちつつも、駆動装置へ、特にエレベータかごが昇降路の上方で故障した場合などに、安全にアクセスできることを確実にするエレベータを提案することにある。
【０００４】
上記のタイプのエレベータについての本発明によるこの目的を実現するために、エレベータかごの天井部に閉鎖可能な開口部をつくり、これを通して駆動装置にアクセス可能にすることを提案する。
【０００５】
【課題を解決するための手段】
本発明によるエレベータでは、メンテナンス作業はエレベータかごの内側から、エレベータかご内部に位置するメンテナンス用作業台を使って行なわれる。エレベータかごの屋根に設けられた閉鎖可能な開口部によって、整備工がモータにアクセス可能となる。
【０００６】
エレベータかご上方の駆動装置へのアクセシビリティは、エレベータかごが昇降路の上方で故障した場合でも保証される。天井部にある開口部の寸法は多様化しても良い。特に、天井部にある開口部はエレベータかごの天井部全体でも良く、その際には四方から駆動装置へたやすくアクセスできるようになる。
【０００７】
本発明によるエレベータの重要な利点は、昇降路の断面積をうまく利用することに加え、メンテナンス作業がエレベータかごの内側から行うことができるために、昇降路の高さを非常に低く保つことができるということにある。本発明によるエレベータの駆動装置をエレベータかごが通過しないため、多様な構成と寸法の駆動装置を使用することができ、これによって、高い柔軟性が得られる。特に、ギアつきまたはギアなしの駆動モータを、選択して使用することができる。本発明によるエレベータの概念は様々な配置の懸架ロープとともに使用することができる。特に、エレベータかごの下方の戻り滑車を使って、懸架ロープがエレベータかごの下方を通過するようにもできるし、また、牽引シーブの代わりに巻上げ機を使用することもできる。本発明による駆動の概念は、エレベータかごが片側のみでガイドされる、いわゆるリュックサック型のエレベータにも使用することができる。駆動装置が、頭上空間とも呼ばれる昇降路の上方部に位置するため、駆動装置の固定には様々な方法を用いることができる。例えば、駆動装置を、昇降路の両壁間に支持された横断ビーム上に立てるか、または、横断ビームから釣り下がるようにして、固定させることができる。
【０００８】
本発明のさらなる有利な展開は従属請求項に随従する。
【０００９】
有利な展開では、天井部にある開口部は、モーターが突出している領域を避けている。ここで、天井部にある開口部は、エレベータかご内に立っている整備工の頭および身体の上半部分に対して十分安全な空間を確実に供給し、かつ、エレベータかごのすべての位置においてエレベータかごの天井部および駆動装置の間で整備工の身体の一部分が押しつぶされるようなことがないような寸法で作られ、かつ、位置するようになっている。
【００１０】
天井部にある開口部が施錠可能なフラップを使って閉鎖できるようにすると有利である。
【００１１】
有利なその他の展開では、フラップが、許可を受けていないものはアクセスできないように守られた解錠装置に結合されている。本解錠装置は、整備工のみがアクセスできる配電箱にあるスイッチング装置に結合されても良い。
【００１２】
その他の有利な展開では、フラップがエレベータかごの天井部から取り外し可能なように、かつメンテナンス用の作業台としてまたはその一部として使用できるように構成されることが提案されている。例えば、フラップを、メンテナンス用作業台の踏面として使用することができる。さらに、フラップは、折りたたみ式で取り出せる支持具を含むこともでき、それによって、取り外された状態では、フラップをメンテナンス用作業台に変えることができる。メンテナンス用作業台には、段々を設け、様々な高さの踏面をいくつか含むようにすることができる。
【００１３】
この他の有利な展開では、フラップは、エレベータかごの天井部にある支持装置へ固定され、この支持装置を使って、フラップをエレベータかごの天井部と平行なメンテナンス位置に移動させることができる。前記支持装置は、例えば、鋏の形に構成された保持部材を含んでもよい。
【００１４】
有利な一展開では、前記支持装置は、鋏の形に構成された保持部材を含んでもよい。
【００１５】
有利な一展開では、エレベータかごと駆動装置の間の最小隙間を確実に保持するために、少なくとも１つのストッパが設けられる。
【００１６】
このストッパを、釣合いおもりと共同して働くバッファとして構成することができる。
【００１７】
本発明の有利な一展開では、駆動装置が、昇降路の壁、またはエレベータかごのガイドレール、または釣合いおもりのガイドレール上に載っている、少なくとも１本のビームに支持されている。
【００１８】
その他の有利な一展開では、１本の懸架ロープが、エレベータかごの下方にある戻り滑車を、少なくとも通過する。
【００１９】
駆動装置をギアつき、特にプラネタリギアつきで構成することもできる。既に記載したように、本発明によるエレベータの概念の重要な利点は、駆動装置の寸法に何ら制約がない、というところにある。
【００２０】
【発明の実施の形態】
図面で概略が図示された例示的な実施形態を参照して、以下に、本発明をさらに詳細に説明する。
【００２１】
図１は、互いに本質的に平行である昇降路の壁１２ａ、１２ｂおよび昇降路の床１８および昇降路の天井１３によって仕切られる昇降路１１を縦方向に切った概略断面を示している。昇降路１１には、乗客輸送用のエレベータのかご１０がある。昇降路１１は数階にわたって延びており、各階に、エレベータかご１０によってそこへ移動できる、昇降路の扉（図面では示されていない）が設けられている。
【００２２】
エレベータかごに運動を伝達するために、エレベータには、昇降路１１の上部、いわゆる頭上空間に位置する駆動装置１９が設けられている。駆動装置１９は、駆動モータ２１を含み、その駆動シャフトはロープシーブ２０を駆動する。駆動装置１９を支持するために、互いに平行でその末端が昇降路の対向する両壁に固定された２本のビーム２２がある。
【００２３】
エレベータかご１０は一対の懸架ロープ１４に支持されているが、この懸架ロープ１４のうち１本だけが図面では概略的に図示されている。懸架ロープ１４は、昇降路の上部の昇降路の壁１２ｂに近接したところで固定装置２９に固定された第１の末端を含む。固定装置２９から出発して懸架ロープ１４は、エレベータかご１０の床１０ａに取りつけられた、懸架ロープの向きを変える滑車３０ａ、３０ｂを通過し、駆動モータ２１によって駆動されるロープシーブ２０へと延びる。ロープシーブ２０を通過した後、懸架ロープ１４は、釣合いおもり１５に固定された釣合いおもりの戻り滑車１６へと延びる。釣合いおもりの戻り滑車１６を通過した後、懸架ロープ１４は、昇降路の上部にある固定装置（図面には示されていない）へと戻っていく。
【００２４】
図２からわかるように、エレベータかご１０は昇降路１１の縦方向に延びる２本のガイドレール２８に案内される。釣合いおもり１５もまた、ガイドレールに案内されるが、これについてはより詳細には示されていない。この図は駆動モータ２１の軸２３が昇降路の壁１２ａと本質的に垂直をなす位置にあることを、特によく示している。これに対して、ロープシーブ２０は、昇降路の壁１２ａと平行な位置にある。
【００２５】
駆動装置１９は、エレベータかご１０が通過しない昇降路１１の上部に位置しているため、エレベータかご１０の寸法としては、本質的には昇降路１１の全断面が使えるように選ぶことができる。さらには、エレベータかご１０が、フラップ２７を使って閉鎖することができる開口部２４がある天井部１０ｂを含むために、セーフティクリアランス（作業空間）を余分に取らなくても、昇降路の高さがうまく利用される。誤った開口を防ぐために、フラップ２７には、許可を受けていないものはアクセスできないように守られた解錠装置３２が設けられている。これは、エレベータの乗客が昇降中にフラップ２７を開け、エレベータかご１０の外によじ登って出ることを防ぐ。解錠装置３２を、例えば、整備工２５しかアクセスできないようになっているエレベータの配電箱に結合しても良い。
【００２６】
図１は、可動状態ではあるがメンテナンス用の位置にあるエレベータかご１０を示している。整備工２５は、エレベータかご１０が駆動装置１９に近接するまで、エレベータかご１０を動かすために手動操作する。釣合いおもり１５はバッファの形をとるストッパ１７を含む。これにより、エレベータかご１０と駆動装置１９の間の接触が安全な方法で防止される。
【００２７】
図１と図２からわかるように、天井の開口部２４は駆動装置１９までは横へ延びていない。結果的に、開口部２４は、駆動装置が突出している、エレベータかご１０の領域１０ｃを避けていることになる。
【００２８】
据付けまたはメンテナンス作業を実施するために、メンテナンス用の作業台２６がエレベータかご１０の床１０ａに設置され、その上で、例えばフラップ２７を踏面として使うことができる。メンテナンス用の作業台２６は段々を付けた構成とし、様々な高さの踏面を付けるようにすることができる。このため、整備工２５はメンテナンス用の作業台２６上に立ち、開口部２４を通って、駆動装置１９のメンテナンス作業を実施することができる。駆動装置１９の全部品には、その位置のために、こうした際に整備工２５が簡単にアクセスできるようになっている。
【００２９】
図４に示される例示的な実施形態では、フラップ２７が、エレベータかご１０の天井部１０ｂに固定された支持装置３３にぶら下がるように取りつけられている。支持装置３３は、鋏の形に構成された保持部材３４を含み、その自由端にフラップ２７が固定されている。図４は、整備工２５がフラップ２７をエレベータかご１０の内部に移動した状態のメンテナンス位置を示している。この位置で、整備工２５はフラップ２７をメンテナンス用の作業台として使用することができ、駆動装置１９のメンテナンス作業を天井部にある開口部２４を通って実施することができる。破線で示される閉鎖位置で、フラップ２７は、エレベータかご１０の天井部１０ｂにある開口部２４を閉鎖する。
【００３０】
図３は図２に類似した断面図を使って図示される他の例示的実施形態を示している。駆動装置１９を支持するために、自由端が釣合いおもり１５の複数の互いに平行なガイドレール３５に支持される、ブラケット３６がある。駆動装置１９はエレベータかご１０の一部分の上に突き出している。駆動装置１９は天井部にある開口部２４を通ると簡単にアクセスできるようになっている。
【００３１】
メンテナンス作業がエレベータかごの天井からではなくエレベータかご１０の内側から実施されるため、例示的な実施形態のどれにおいても、昇降路の上部に特別なセーフティクリアランスをつくる必要はなく、これが昇降路の高さを最適利用する結果となる。
【００３２】
さらに、本エレベータの概念によると、多様な寸法のどのような駆動装置１９でも使用できる。こうした駆動装置には、ギアつきまたはギアなしの牽引シーブ駆動、巻上げドラム、液圧式駆動やリニアモータが含まれる。さらに、本発明によるエレベータの概念は、様々な配置の懸架ロープにも使用することができる。こうした多様な変形例すべてに共通する点は、駆動装置を上記のように配置し、エレベータかご１０の天井部にある閉鎖可能な開口部２４を通ってメンテナンス作業を実施するため、昇降路１１を水平方向、縦方向両方ともに大変うまく利用できるという結果になる、ということである。
【図面の簡単な説明】
【図１】  本発明によるエレベータの第１の例示的実施形態を含む昇降路を縦方向に切って概略を図示した断面図である。
【図２】  エレベータかごを閉鎖した状態での図１における線ＩＩ−ＩＩの断面図である。
【図３】  図２に類似の断面図に図示される本発明によるその他の例示的な実施形態である。
【図４】  本発明によるその他の例示的実施形態によるエレベータかごを縦方向に切って図示した断面図である。
【符号の説明】
１０  エレベータかご
１０ａ  エレベータかごの床
１０ｂ  エレベータかごの天井部
１０ｃ  領域
１１  昇降路
１２ａ、１２ｂ  昇降路の壁
１３  昇降路の天井
１４  懸架ロープ
１５  釣合いおもり
１６  釣合いおもりの戻り滑車
１７  ストッパ
１８  昇降路の床
１９  駆動装置
２０  ロープシーブ
２１  駆動モータ
２２  ビーム
２４  開口部
２６  メンテナンス用の作業台
２７  フラップ
２８  ガイドレール
２９  固定装置
３０  懸架ロープの向きを変える滑車
３２  解錠装置
３３  支持装置
３４  保持部材
３５  複数の互いに平行なガイドレール
３６  ブラケット
【図１】
0004467699.tif 000002
【図２】
0004467699.tif 000003
【図３】
0004467699.tif 000004
【図４】
0004467699.tif 000005